(57)【要約】本発明は、音響変換器がそれぞれの端部に取り付けられる弓状部を有する一対のヘッドフォンに関する。１つの平面内にアーチ形で延在する上記弓状部は、上記平面で内方へ弓状部平面を折り畳む少なくとも１つの結合部を有し、上記弓状部がばね作用により広く又は狭くされるどちらかを可能にする弾性領域を有する。本発明は、弓状部端部へ各変換器の取付けが、上記変換器を上記平面へ向ける結合部から成ることを特徴とする。１つの構造は各弓状部端部の近くに位置付けられ、これらの構造は、弓状部の端部が互いに交差する位置に内方へ折り畳まれた弓状部端部を保持する又は弓状部端部を内方へ折り畳む１つの結合部が弓状部頂点に配置され、その一方で相互に作用するように互いに結合され得る。一対のヘッドフォンは、１つの平面の周りに鏡面対称であり、弓状部端部へ各変換器の取付けは、変換器を弓状部平面に直交する対称面へ向ける結合部から成る。
2005527134.tif 000002
【特許請求の範囲】
【請求項１】
２つの端部（８）のそれぞれにそれぞれの音響変換器（６）が取付けられ、１つの平面内にアーチ形に延在し、フープバンドの端部（８）を前記平面において内方へ折りたたむ少なくとも１つのジョイント（１２）と前記フープバンドを弾力的に広げたり狭くしたりする弾性領域（４）とを備えたフープバンド（４）を有するヘッドフォンであって、
前記フープバンドの端部へそれぞれの前記変換器の取付けが、前記平面へ前記変換器を旋回させるためのジョイント（１０）を有し、互いに結合されることができ、協働関係において交差した位置に前記フープバンドの内部に折り畳まれた端部を保持するそれぞれの結合構造（１６）が、前記フープバンドの２つの端部の領域に配置されることを特徴とするヘッドフォン。
【請求項２】
前記結合構造（１６）が、一方を他方へ取り付けられることができ、確実にロックする関係において一方を他方へ係合させ、前記平面において同一平面関係で前記フープバンドの交差した端部を互いに留める、前記フープバンドの端部における開口部であることを特徴とする請求項１記載のヘッドフォン。
【請求項３】
前記結合構造（１６）が、前記フープバンドが弾性的に圧縮される場合にはそれらが共に結合されることができ、前記弾性圧縮効果が結合力を生ずるように配置されることを特徴とする前請求項の何れか一に記載のヘッドフォン。
【請求項４】
前記平面へ旋回される前記変換器と交差した状態で保持される前記フープバンドの端部（８）とを備えた前記ヘッドフォンが、前記平面で互いに近接して並べられた関係に配置される変換器（６）を有する平らなユニットを形成することを特徴とする前請求項の何れか一に記載のヘッドフォン。
【請求項５】
前記変換器のジョイント（１０）が、回動可能であるボールジョイントであることを特徴とする前請求項の何れか一に記載のヘッドフォン。
【請求項６】
前記フープバンドの端部（８’）を内方へ折りたたむ１つのジョイント（１２’）が、前記フープバンドの頂点に配置され、前記ヘッドフォンが１つの平面について鏡像対称であり、前記フープバンドの端部（８’）へそれぞれの変換器（６’）の取付けが、前記フープバンドの前記平面に直角である対称面へ前記変換器を旋回させるジョイント（１０’）を有することを特徴とする請求項１の分類部分に記載のヘッドフォン。
【請求項７】
前記変換器（６’）及び／又はそれの端部（８’）の領域における前記フープバンドがそれぞれ、互いに結合されることができ、協働関係において内方へ折り畳まれる前記フープバンドの端部を備え、前記対称面で互いに対向してほぼ位置する状態で音響変換器を保持するそれぞれの結合構造（１６’）を有することを特徴とする請求項６記載のヘッドフォン。
【発明の詳細な説明】
【発明の詳細な説明】
【０００１】
本発明は、その２つの端部のそれぞれにそれぞれの音響変換器（acoustic transducer）が取り付けられ、１つの平面内にアーチ形に延在し、フープバンド（hoop band）の端部を上記平面において内方へ折りたたむジョイント（joint）と上記フープバンドを弾力的に広げたり狭くしたりする弾性領域とを備えたフープバンドを有するヘッドフォン（headphone set）に関する。
【０００２】
共に折り畳まれ得るヘッドフォンは周知である。それらは、一般的に、上記フープバンドの領域において少なくとも１つのジョイントを有し、たいてい上記フープバンド内の頭部のこめかみの辺りにそれぞれのジョイントを有し、縮められる場合にはフープバンドを短くし、延ばされる場合にはユーザの耳及び頭部に対してヘッドフォンの音響変換器の位置を調整する働きをする入れ子式フープバンド部をまた有している。
【０００３】
既知のヘッドフォンが、共に折り曲げられる場合には、ユーザは、よく共に折り畳まれた状態で音響変換器のケーブルをヘッドフォンの周りに巻き付けており、その結果、ヘッドフォンは再び広がらなくなる。
【０００４】
上記状況では、又は遅くともケーブルが再びほどかれる場合には、それらはよくもつれたり結び目をつくったりする。しかし、ケーブルが既知の折り畳み可能なヘッドフォンの周りに巻かれなければ、それらは、通常、確実に共に折り畳まれる位置のままではない。そのことはまた、共に折り畳まれるヘッドフォンをしまい込む場合に特に問題を引き起こし、より具体的に言えば、これは、ヘッドフォンが、好ましくなく再び広がり得る状態である。更に、比較的狭い容器から取り出されると、ヘッドフォンは意図的でなく広がる傾向を有し、それによりフックで留められる、更に場合によっては曲げられたり壊されたりする傾向を有する。
【０００５】
上記の種類のヘッドフォンの一例として１つの実施形態が、例えば、独国特許第３１１８２９４Ｃ２号に見出され得る。その公報に記述されるヘッドフォンは、フープバンドの中心に配置され、それにより音響変換器の耳当て（イヤーピース；earpiece）がお互いに再びぴったり接した状態になるように、ヘッドフォンが共に折り畳まれ得る中央のジョイントを有している。
【０００６】
既知のヘッドフォンのもう１つの実施例は、米国特許第４５１７４１８号に開示されている。そこに開示されるヘッドフォンは、フープバンド内に配置され、変換器がフープバンドの弧形の内部に位置するようにその端部がそれの周りに内方へ折り畳まれ得る２つのジョイントを有する。
【０００７】
本発明の目的は、共に折り畳まれることができ、その取り扱いがより簡単で、より不具合を受けにくいヘッドフォンを提供することである。
【０００８】
本発明によれば、その目的は、請求項１又は請求項６の特徴を有するヘッドフォンにより達せられる。好ましい形態は、付随する請求項に列挙される。
【０００９】
ヘッドフォンは、その２つの端部のそれぞれにそれぞれの音響変換器が取り付けられるフープバンドを有している。上記フープバンドは、１つの平面で略アーチ形に延在しており、上記平面において上記フープバンドを内方へ折りたたむ少なくとも１つのジョイントを有している。周知のように、それは、フープバンドの幅における縮小をもたらし、それにより必要とする空間の量を縮小する。更に、上記フープバンドは、フープバンドの弾力的な拡張及び収縮のための弾性領域を有している。弾力的な拡張は、音響変換器がユーザの耳に対して位置するようにユーザの頭部にヘッドフォンを固定する実施例を付与する。本発明によれば、フープバンドの端部へそれぞれの変換器の取付けが、ジョイントを有する。上記変換器は、上記ジョイントによってフープバンドの平面へ旋回させられることができる。そのようにして、それらは、例えば、それらがフープバンドの平面に略直角に配置され、それらが頭部と耳の構造に適合させられる位置にあるよりは小さい程度にフープバンドの平面から突き出ており、そのようにして、それらはヘッドフォンのフープバンドとともに平らなユニットを形成することができる。更に、それぞれの結合構造は、フープバンドの２つの端部のそれぞれの領域に配置される。フープバンドの端部が内方へ折り畳まれる場合には、上記結合構造は共に結合され、その協働によって交差した関係でフープバンドの端部を保持する。このようにして、それは、共に折り畳まれたヘッドフォンにおいて全体として平らな安定したユニットをもたらし、それは、上記結合構造によって誤って広がることが防がれる。
【００１０】
変換器取付けジョイント（transducer fixing joint）は、好ましくは、変換器、特に、通常はフープバンドの平面に略直角であり、ヘッドフォンを装着する人の耳の構造に対してそれの耳当ての表面を調整するボールジョイントであり、上記ボールジョイントは、フープバンドの平面へ変換器を旋回させることを可能にするために、更に好ましくは、およそ９０度まで旋回可能である。
【００１１】
フープバンドの端部における結合構造は、好ましくは、上記フープバンドの端部における開口部（opening）であり、それらは、フープバンドの端部が交差される場合には、一方を他方へ取り付けられ得る。そのために、上記開口部は、フープバンドの端部の互いに反対の位置に配置された側において反対称関係に配置される。上記開口部は、好ましくは、フープバンドの端部が共に留められる場合には１つの平面に平らに配置されるように設計される。特に、本発明に係る上記開口部又は他の結合構造が意図せずに再びお互いに緩まないことを確保するために、上記結合構造は、上記フープバンドが弾力的に締め付けられ弾性圧縮の偏向力（biasing force）が結合力を生じる場合にのみ、それらが結合され得るように配置される。特に、上記結合構造の確実にロックする構成では、例えば、上記開口部の形をして、それは、相互に係合する結合構造、特に一方を他方へ取り付けられる開口部の傾きをもたらす力を伴う。
【００１２】
従って、本発明によれば、好ましくは、フープバンドの平面へ旋回させられる変換器と交差関係において保持されるフープバンドの端部とを備え、上記変換器が、好ましくは、互いに近接して並べられた関係で互いに直接隣接する状態で上記平面に配置される平らなユニットの形をした、共に折り畳まれるヘッドフォンが提供される。
【００１３】
本発明の目的を達する別の方法は、その２つの端部のそれぞれに音響変換器が取り付けられ、１つの平面内にアーチ形に延在し、上記フープバンドの端部を上記平面において内方へ折りたたむ少なくとも１つのジョイントと、上記フープバンドの弾力的な拡張及び収縮のための弾性領域と、を有するフープバンドを備えたヘッドフォンを有しており、本発明によれば、フープバンドのジョイントが、フープバンドの端部を互いの方へ内方へ折りたたむために、鏡像の左右対称であるヘッドフォンの頂点に配置される。更に、上記ヘッドフォンのフープバンドの端部へそれぞれの変換器の取付けは、対称面へ上記変換器の旋回移動用のジョイントを有している。そこで、上記変換器は、互いに対向して直接に同一平面関係に位置することができ、それによりフープバンドの半分と共に、互いの方へ折り畳まれる小さいユニットを形成することができる。ヘッドフォンが意図的でなく広がるようになることを防止するために、ヘッドフォンは、フープバンドの端部の領域で、及び／又は、好ましくは上記変換器の領域で、共に結合される場合には互いに適所に位置する音響変換器を保持する結合構造を有し得る。
【００１４】
本発明は、添付図を参照して以下に記述される。
【００１５】
図１を参照すれば、フープバンド４を有するヘッドフォン２がそこに示されており、その２つの端部のそれぞれに、それぞれの音響変換器６が取り付けられる。その端部領域８は、それに取り付けられた音響変換器６と共に、フープバンド４の中央領域内に入れ子式に縮められること及び延ばされることが可能である。音響変換器６は、回動可能であるボールジョイント１０によってフープバンド４の端部領域８に取り付けられている。図２に示されるような方法で、それらは、フープバンド４がアーチ形の形態で延在する平面へ回動可能である。
【００１６】
フープバンド４の中央領域は、スプリングシート片（spring sheet strip）から曲げられており、フープバンド４がヘッドフォン２を装着しているユーザの頭部のこめかみのほぼ上の領域に、それぞれのヒンジ継手１２を有している。フープバンドの端部８は、図３および４から見られるように、ヒンジ継手１２において内方へ折り畳まれ得る。ヒンジ継手１２におけるフープバンドの端部８の外側への折り曲げは、ヒンジ継手１２がフープバンド上においてその内部に配置されるという事実によって妨げられており、このように端と端とが取り付けられた関係にあるフープバンド部は、それらが外方へ折り曲げられることを防止するように接合部を形成する（その一方、それらは、それらが内方へ折り曲げられる場合にはお互いから離れる）。
【００１７】
更に、２つのクッション１４が、フープバンド４の中央領域上にそれの内側に見られ得る。上記クッションは、ユーザの頭部のこめかみに対して位置するようになり、それによりヘッドフォンを装着することをより快適にさせる。
【００１８】
菱形形状の凹部１６が、フープバンドの端部８の右手の１つの上側（図１から４に見られる面）に見ることができる。反対称的な関係に、すなわち、フープバンドの端部８の左手の１つの、見ることができない背面側に、補足的な形状である対応する同一の凹部１６が配置される。上記２つの凹部の深さの合計が、フープバンドの端部８の全体の高さに一致し、その結果、それらの凹部が一方を他方へ合わせられる場合には（図４）フープバンドの端部が相互に留める関係において互いに交差しており、その状況では、それらが互いに交差するという事実にかかわらず、それらはフープバンド自体の端部８よりあまり大きい高さを占めることはない。そのことは、一方では、図４に示されるように、共に折り畳まれた状態にある場合には、特に小型に折り畳まれたユニットを構成し、その一方で他方では、このことは、相互に係合する確実なロック関係では確実にロックする係合において内方の方向に互いに留められる上記フープバンドの端部を保持する結合１６を表している。スプリングシートを有し、弾力的に変形可能であるフープバンド４の中央領域は、（互いの方へ端部の移動による）収縮によってその位置に弾力的に偏らされており、そのことは、フープバンドの端部８において結合構造として凹部１６の傾きをもたらし、それにより、その解放可能である結合１６の意図的でない解放を防止するようにそれらを取り付ける。
【００１９】
本発明に係る図４から見られるように、上記フープバンドの平面（図２における図面の平面）へ旋回させられる変換器６と、相互に交差した状態で保持されるフープバンドの端部とを備え、共に折り曲げられた状態にあるヘッドフォン２は、上記フープバンドの平面で互いに近接して並べられた関係に配置される変換器６と共に平らなユニットを構成する。
【００２０】
図５は、非常に概略的な方法で、ヘッドフォン２’の別の形態を示しており、それは、フープバンド４’の頂点で、フープバンドの平面（図５の図面の平面）において内方へフープバンドの端部８’を折りたたむジョイント１２’を有している。フープバンドの端部８’の領域で、ヘッドフォン２’のそれぞれの音響変換器６’が、第２のヒンジ継手１０’によってフープバンド４’に結合されている。このようにして、図に示されるように、変換器６’は、ヘッドフォン２’の対称面１７’へ旋回させられることが可能であり、それらは、場所を取らない状態で互いに接触して位置しており、その状態で、フープバンド４’の頂点でジョイント１２’の周りにお互いの方へ折り畳まれるフープバンド４’の縁によって保護するように囲まれている。図５に示されるようなヘッドフォン２’の対称面１７’は、図１から４に示されるヘッドフォン２の対称面１７と同様に、フープバンドの平面（図面のそれぞれの平面）に垂直である。
【図面の簡単な説明】
【００２１】
【図１】使える状態に配置された位置にある、本発明に係るヘッドフォンの正面図を示す説明図である。
【図２】図１のヘッドフォンを共に折りたたむことにかかわる状態を連続的に示す正面図である。
【図３】図１のヘッドフォンを共に折りたたむことにかかわる状態を連続的に示す正面図である。
【図４】図１のヘッドフォンを共に折りたたむことにかかわる状態を連続的に示す正面図である。
【図５】本発明に係る別のヘッドフォンの概略的な正面図である。
【図１】
2005527134.tif 000003
【図２】
2005527134.tif 000004
【図３】
2005527134.tif 000005
【図４】
2005527134.tif 000006
【図５】
2005527134.tif 000007
【手続補正書】
【提出日】平成16年4月22日(2004.4.22)
【手続補正１】
【補正対象書類名】特許請求の範囲
【補正対象項目名】全文
【補正方法】変更
【補正の内容】
【特許請求の範囲】
【請求項１】
２つの端部（８）のそれぞれにそれぞれの音響変換器（６）が取付けられ、１つの平面内にアーチ形に延在し、フープバンドの端部（８）を前記平面において内方へ折りたたむ少なくとも１つのジョイント（１２）と前記フープバンドを弾力的に広げたり狭くしたりする弾性領域（４）とを備えたフープバンド（４）を有するヘッドフォンであって、
前記フープバンドの端部へそれぞれの前記変換器の取付けが、前記平面へ前記変換器を旋回させるためのジョイント（１０）を有し、互いに結合されることができ、協働関係において交差した位置に前記フープバンドの内部に折り畳まれた端部を保持するそれぞれの結合構造（１６）が、前記フープバンドの２つの端部の領域に配置されることを特徴とするヘッドフォン。
【請求項２】
前記結合構造（１６）が、一方を他方へ取り付けられることができ、確実にロックする関係において一方を他方へ係合させ、前記平面において同一平面関係で前記フープバンドの交差した端部を互いに留める、前記フープバンドの端部における開口部であることを特徴とする請求項１記載のヘッドフォン。
【請求項３】
前記結合構造（１６）が、前記フープバンドが弾性的に圧縮される場合にはそれらが共に結合されることができ、前記弾性圧縮効果が結合力を生ずるように配置されることを特徴とする前請求項の何れか一に記載のヘッドフォン。
【請求項４】
前記平面へ旋回される前記変換器と交差した状態で保持される前記フープバンドの端部（８）とを備えた前記ヘッドフォンが、前記平面で互いに近接して並べられた関係に配置される変換器（６）を有する平らなユニットを形成することを特徴とする前請求項の何れか一に記載のヘッドフォン。
【請求項５】
前記変換器のジョイント（１０）が、回動可能であるボールジョイントであることを特徴とする前請求項の何れか一に記載のヘッドフォン。
【請求項６】
前記フープバンドの端部（８’）を内方へ折りたたむ１つのジョイント（１２’）が、前記フープバンドの頂点に配置され、前記ヘッドフォンが１つの平面について鏡像対称であり、前記フープバンドの端部（８’）へそれぞれの変換器（６’）の取付けが、前記フープバンドの前記平面に直角である対称面へ前記変換器を旋回させるジョイント（１０’）を有し、前記変換器（６’）及び／又はそれの端部（８’）の領域における前記フープバンドがそれぞれ、互いに結合されることができ、協働関係において内方へ折り畳まれる前記フープバンドの端部を備え、前記対称面で互いに対向してほぼ位置する状態で音響変換器を保持するそれぞれの結合構造（１６’）を有することを特徴とする請求項１の分類部分に記載のヘッドフォン。
【国際調査報告】
2005527134.tif 000008
2005527134.tif 000009
2005527134.tif 000010
2005527134.tif 000011
2005527134.tif 000012
2005527134.tif 000013